(57)【要約】【課題】マイナスイオンと、遠赤外線及び電磁波（微弱エネルギー）との相乗効果で、効果的な毛髪や頭皮のケアができるようにしたヘアドライヤーの提供。【解決手段】ヘアドライヤーＡの空気吸入口１０から空気吹き出し口２１に至る流路６内にヒータ３を設け、該ヒータに、遠赤外線放射材料のパウダーと多元素鉱物のパウダーの混合パウダーをコーティングしたセラミックスコーティング層３３を設け、かつ前記流路内にマイナスイオン発生器５を設けた。【選択図】　　図１
0003097758.tif 000002
【実用新案登録請求の範囲】
【請求項１】
ヘアドライヤーの空気吸入口から空気吹き出し口に至る流路内にヒータを設け、
該ヒータに、遠赤外線放射材料のパウダーと多元素鉱物のパウダーの混合パウダーをコーティングしたセラミックスコーティング層を設け、
かつ前記流路内にマイナスイオン発生器を設けたことを特徴とするヘアドライヤー。
【請求項２】
請求項１記載のヘアドライヤーの空気吹き出し口にノズルを着脱可能に取り付け、
該ノズルの内面に、遠赤外線放射材料のパウダーと多元素鉱物のパウダーの混合パウダーをコーティングしたセラミックスコーティング層を設けたことを特徴とするヘアドライヤー。
【請求項３】
空気吸入口から空気吹き出し口に至る流路内にヒータを設けたヘアドライヤーにおいて、
前記空気吹き出し口にノズルを着脱可能に取り付け、
該ノズルの内面に、遠赤外線放射材料のパウダーと多元素鉱物のパウダーの混合パウダーをコーティングしたセラミックスコーティング層を設け
かつ前記流路内にマイナスイオン発生器を設けたことを特徴とするヘアドライヤー。
【考案の詳細な説明】
【０００１】
【考案の属する技術分野】
本考案は、毛髪をセットしたり乾燥させるときに使用するヘアドライヤーに関し、特に、遠赤外線放射材料のパウダーから放射される遠赤外線と、多元素鉱物のパウダーを混合から放射される電磁波（微弱エネルギー）と、マイナスイオン発生器で発生したマイナスイオンとの相乗効果で、効果的な毛髪や頭皮のケアができるようにしたヘアドライヤーに関する。
【０００２】
【従来の技術】
ヘアドライヤーは、吹き出し口から吹き出す温風や冷風を毛髪に当てて毛髪のセットや乾燥を行なうものである。
このようなヘアドライヤーは、吹き出し口からただ単に温風や冷風を吹き出すだけであるから、細毛の人はセットしにくく、又、ブローセットを効果的に行なうことができないので、セット時間が長くかかる。
また、吹き出し口からただ単に温風や冷風を吹き出すだけであるから、ヘアカラーや酸性カラーの定着が悪い上に、毛髪にツヤを与えることができないし、ロットパーマをかけたときは、毛髪のツヤやハリが悪く、パーマのウエーブダウンを押えることができないという問題があった。
【０００３】
このような問題に対処するため、本出願人おいて、遠赤外線と、電磁波を放射させるようにしたヘアドライヤーを提案している（特許文献１参照）。
【０００４】
【特許文献１】
実用新案登録第３０１３０３８号公報
【０００５】
この特許文献１に記載されたヘアドライヤーは、流路内に設けたヒータ又は及び空気吹き出し口に着脱可能に設けるノズルに、遠赤外線放射材料のパウダーと多元素鉱物のパウダーの混合パウダーをコーティングしたセラミックスコーティング層を設けた構成になっている。
【０００６】
従って、このヘアドライヤーでは、遠赤外線放射材料のパウダーから放射される遠赤外線が毛髪や頭皮に吸収され、毛髪や頭皮を内部から温めることができる。そのため、低温で短時間に毛髪の乾燥やセットを行なうことができるし、毛髪や頭皮にダメージを与えることがなくなる。また、頭皮の毛細血管の血液循環も良好になるので健康毛でツヤのある毛髪とすることができる。また、ヒータ容量も小さくできるので、小型化が可能となり省エネルギー効果もある。
【０００７】
また、多元素鉱物のパウダーから放射される４〜１４μｍの波長の電磁波（微弱エネルギー）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
又、この電磁波（微弱エネルギー）を温風又は冷風として毛髪や頭皮に当てることにより、毛髪や頭皮中の水分をミネラル化して毛髪や頭皮の中の蛋白質を活性化し、常に健康毛でツヤのある毛髪とすることができる。
【０００８】
【考案が解決しようとする課題】
近年、マイナスイオンが、毛髪の育毛とトリートメント作用を有していることが知られてきが、本考案は、このマイナスイオンと、上述した遠赤外線及び電磁波（微弱エネルギー）との相乗効果で、効果的な毛髪や頭皮のケアができるようにしたヘアドライヤーを提供することを課題としている。
【０００９】
【課題を解決するための手段】
上記の課題を解決するために、本考案のヘアドライヤー（請求項１）は、
ヘアドライヤーの空気吸入口から空気吹き出し口に至る流路内にヒータを設け、
該ヒータに、遠赤外線放射材料のパウダーと多元素鉱物のパウダーの混合パウダーをコーティングしたセラミックスコーティング層を設け、
かつ前記流路内にマイナスイオン発生器を設けた構成とした。
【００１０】
又、本考案のヘアドライヤー（請求項２）は、
前記請求項１記載のヘアドライヤーの空気吹き出し口にノズルを着脱可能に取り付け、
該ノズルの内面に、遠赤外線放射材料のパウダーと多元素鉱物のパウダーの混合パウダーをコーティングしたセラミックスコーティング層を設けた構成とした。
【００１１】
又、本考案のヘアドライヤー（請求項３）は、
空気吸入口から空気吹き出し口に至る流路内にヒータを設けたヘアドライヤーにおいて、
前記空気吹き出し口にノズルを着脱可能に取り付け、
該ノズルの内面に、遠赤外線放射材料のパウダーと多元素鉱物のパウダーの混合パウダーをコーティングしたセラミックスコーティング層を設け
かつ前記流路内にマイナスイオン発生器を設けた構成とした。
【００１２】
【考案の実施の形態】
以下、本考案の実施例を図面に基づいて詳細に説明する。尚、以下の説明ではハンドタイプのヘアドライヤーを例とする。
【００１３】
まず、実施例の構成を説明する。
図１はこの実施例のヘアドライヤーの一部を破断して示した説明図である。
【００１４】
本実施例のヘアドライヤーＡは、ボディ本体１と、吹き出し用筒体２と、ヒータ３と、ノズル４と、マイナスイオン発生器５を主要な構成としている。
なお、このヘアドライヤーＡは耐熱性プラスチック材料で形成されている。
【００１５】
前記ボディ本体１の内部には、ファン（図示せず）が設けられ、このファンの両側には空気吸入口１０が形成されている。
また、ボディ本体１には柄部１１が一体に形成され、使用時には手に持てるようになっている。この柄部１１には温風と冷風の切換や風量や温度等を切り替えるための切換スイッチ１２が設けられ、この切換スイッチ１２のＯＮによりマイナスイオン発生器５が作動するようになっている。なお、１４はコードである。
又、前記ボディ本体１には、筒状の接続部１３が一体に形成され、この接続部１３の外周に吹き出し用筒体２が嵌合されている。
【００１６】
前記吹き出し用筒体２は、基端２０を前記接続部１３の外周に嵌合させてボディ本体１と接続され、その先端には空気吹き出し口２１が形成されている。
この空気吹き出し口２１は小径筒部２２に形成され、その小径筒部２２にノズル４の基端嵌合部４０が着脱可能に装着できるようになっている。
【００１７】
前記ヒータ３は、ファンから送られてきた空気を加熱するためのもので、筒状に形成され、前記筒体２の内部、即ち、空気吸入口１０から空気吹き出し口２１に至る流路６に配置されている。
このヒータ３は、基端部３１が前記接続部１３の内周に挿入して固定されている。このヒータ３は金属で形成され、その内側には絶縁用及び断熱用の筒状雲母体３２が配置されている。
このヒータ３の内部には、その外周にニクロム線３４を巻き付けた十字状の雲母板３５が挿入され、前記切換スイッチ１２を操作することによりニクロム線３４に通電したり遮断したりすることができるようになっている。
【００１８】
そして、ヒータ３の構成部材である筒状雲母体３２の内面に、混合パウダーのセラミックスコーティング層３３が形成されている。
このセラミックスコーティング層３３は、コーティング剤である耐熱性ホーマイカに遠赤外線のパウダーと多元素鉱物のパウダーを混合した混合パウダーを加えたものを塗布し、これを加熱炉に通してコーティング剤を飛ばして焼き付けたものである。
【００１９】
遠赤外線放射材料としては、アルミナ（Ａｌ２Ｏ３）、チタニア（ＴｉＯ２）、フェライト（Ｆｅ２Ｏ３）、酸化クロム（Ｃｒ２Ｏ３）、シリカ（ＳｉＯ２）、イットリア（Ｙ２Ｏ３）、マグネシア（ＭｇＯ）等をパウダーにしたものを使用する。これらのパウダーは毛髪や頭皮の吸収に適した波長の遠赤外線を放射するようにブレンドして使用する。
【００２０】
また、多元素鉱物とは、例えば真珠岩、松脂岩やトルマリン（電気石）のように珪素を主成分とし、多数の元素がバランスよく含まれている鉱物をいい、この鉱物は電磁波（微弱エネルギー）を出し、これを温風又は冷風として毛髪に当てると、毛髪中の水分をミネラル化して毛髪中の蛋白質を活性化する。
この多元素鉱物は、例えば、真珠岩をボールミル等で約１〜３ミクロンに粉砕して多元素鉱物のパウダーに形成する。多元素鉱物のパウダーは２種類以上を適宜配合して使用することが好ましい。又、この多元素鉱物のパウダーはそのまま使用してもよいし、これを水と混合し、加熱又は加圧した後、上澄み液を真空凍結乾燥や噴射乾燥により粉末にしたものを使用してもよい。尚、真珠岩は下記の成分からなるものである。
【００２１】
【表１】
0003097758.tif 000003
【００２２】
前記ノズル４は、前記小径筒部２２の外周に基端嵌合部４０を嵌合して装着するもので、前記嵌合部４０を除いた内面には前記筒状雲母体３２の内面と同じ構成のセラミックスコーティング層４１が形成されている。
【００２３】
前記マイナスイオン発生器５は、マイナスイオンを発生させるための電気を発生するイオン発生用回路５１と、マイナスイオンを生成するイオン生成部５２を備え、このイオン生成部５２が前記流路６内に配設されている。
前記イオン発生用回路５１とイオン生成部５２とは絶縁電気コードで電気的に接続され、イオン発生用回路５１で昇圧トランスにより発生させた高電圧をイオン生成部５２に印加し、イオン生成部５２に設けた針状の電極間に高電圧による放電を発生させて、マイナスイオンを生成するようになっている。
【００２４】
なお、マイナスイオン発生器としては、トランスの一次側巻線側に直列共振回路を接続し、トランスの二次側巻線端子にイオン電極とオゾン電極とを接続して、前記直列共振回路に通電して前記イオン電極とオゾン電極の間に高電圧を出力させることでマイナスイオンとオゾンとを発生する構成のものを使用できる。
このマイナスイオン発生器では、マイナスイオンとオゾンとを発生させることができ、マイナスイオンにより髪を育毛するとともに、オゾンにより髪に付着する雑菌を殺菌することのできる。
【００２５】
その他、マイナスイオン発生器として、マイナスイオンを発生させるだけで、オゾンを発生させないオゾン非発生タイプのマイナスイオン発生器を用いることもできる。
【００２６】
したがって、本実施例のヘアドライヤーＡでは、前記のように構成したので、切換スイッチ１２を入れる（ＯＮ）と、ヒータ３及びマイナスイオン発生器５に通電されると共に、ファンに通電され、ヒータ３（ニクロム線３４）で加熱された空気を吹き出し口２１及びノズル４から吹き出すことができる。冷風の場合はヒータ３に通電せずにファンで送風のみを行なう。
このとき、同時に、マイナスイオン発生器５のイオン生成部５２で発生したマイナスイオンがノズル４から吹き出る。
【００２７】
この場合、セラミックスコーティング層３３，４１から常時電磁波が発生しているから、温風や冷風と共に電磁波（微弱エネルギー）を毛髪に当てることができる。これにより、毛髪中の水分をミネラル化して毛髪の中の蛋白質を活性化させ、常に健康毛でツヤのある毛髪とすることができる。
【００２８】
また、遠赤外線により毛髪及び肌の内部から温めることができるから、従来と比べて低温で短時間に毛髪の乾燥やセットを行うことができる。
【００２９】
また、電磁波（微弱エネルギー）と遠赤外線を髪に当てることにより、ヘアーカラー、パーマ、ヘアドライヤーの当てすぎ等により損傷した毛髪や細毛でセットしにくい毛髪でもきれいにセットすることができるようになるし、素早い乾燥と電磁波（微弱エネルギー）効果でブローセットの効果を高め、セット時間を短縮することができるようになる。
【００３０】
また、ヘアカラー、酸性カラー等の技術時、放置タイム前に本考案のヘアドライヤーの温風弱（毛髪が乾燥しないようにする）で、２０〜３０秒毛髪全体に軽く当てて放置すると、電磁波（微弱エネルギー）の作用であるクラスター現象（水分の分子を小さくさせる力）によりヘアカラー、酸性カラーの定着がよくなる。
【００３１】
ロットパーマの場合は、第２剤を１度付した後に本考案のヘアドライヤーの温風弱で２０〜３０秒毛髪全体に軽く当て、放置し、第２剤を再塗布することにより毛髪のハリ、ツヤがよくなってパーマのウエーブダウンを押えることができるようになる。
【００３２】
又、マイナスイオン発生器５で発生したマイナスイオンが毛髪に吹き付けられるため、このマイナスイオンにより毛髪に育毛作用とトリートメント作用を与えることができるし、このマイナスイオンと前記遠赤外線及び電磁波との相乗効果によって効果的な毛髪や頭皮のケアができる。
【００３３】
なお、本考案において、実施例では、ヘアドライヤーをボディ本体と吹き出し口筒体とで形成したが、両者は一体に形成してもよい。
また、セラミックコーティング層は、ヒータ又はノズルのみに形成してもよい。
また、実施例では、ハンドタイプのヘアドライヤーについて説明したが、フードタイプのヘアドライヤーであってもよい。
【００３４】
【考案の効果】
以上説明してきたように、本考案のヘアドライヤーでは、遠赤外線及び電磁波（微弱エネルギー）、それにマイナスイオンを毛髪に吹き付けることができる。
【００３５】
従って、低温で短時間に毛髪の乾燥やセットを行なうことができるし、毛髪や頭皮にダメージを与えることがなくなる。
また、ヒータ容量も小さくできるので、ヘアドライヤーをより小型化することが可能となり、省エネルギー効果もある。また、遠赤外線により頭皮の毛細血管の血液循環を良好にして健康でツヤのある毛髪とすることができる。
【００３６】
又、毛髪中の水分をミネラル化して毛髪の中の蛋白質を活性化し、常に健康毛でツヤのある毛髪とすることができるし、ヘアーカラー、パーマ、ヘアドライヤーの当てすぎ等により損傷した毛髪や細毛でセットしにくい毛髪でもきれいにセットすることができる。
又、素早い乾燥と電磁波（微弱エネルギー）効果でブローセット効果を高め、セット時間を短縮することができ、また、ヘアカラー、酸性カラー等の定着を良好にできるし、ロットパーマの場合は、毛髪のハリ、ツヤを良好にしてパーマのウエーブダウンを押えることができる。
【００３７】
特に、本考案では、マイナスイオン発生器で発生したマイナスイオンが毛髪に吹き付けられるため、このマイナスイオンにより毛髪に育毛作用とトリートメント作用を与えることができるし、このマイナスイオンと前記遠赤外線及び電磁波との相乗効果によって効果的な毛髪や頭皮のケアができる。
【図面の簡単な説明】
【図１】図１は本考案の実施例であるヘアドライヤーの一部を破断して示した説明図である。
【符号の説明】
Ａ　ヘアドライヤー
１　ボディ本体
２　吹き出し用筒体
３　ヒータ
４　ノズル
１０　空気吸入口
２１　空気吹き出し口
３３　セラミックコーティング層
４１　セラミックコーティング層
５　マイナスイオン発生器
５１　イオン発生用回路
５２　イオン生成部
６　流路
【図１】
0003097758.tif 000004